(57)【要約】【課題】  布団などの弾性を有する物の内部に、芳香剤、カビ防止剤、ダニ防止剤などの薬剤あるいは試料を有効に注入する装置・方法は知られていなかった。【解決手段】排気口及び試料注入装置を有するパッケージにおいて、弾性力を有する格納物が格納されたパッケージ内の空気を、排気口から排気することによって格納物を圧縮する。圧縮された格納物の弾性力によって発生する負圧を利用して、試料注入装置を通してパッケージ内に空気を流入させ、これによって、所望の試料を格納物の中に注入する。【選択図】図１
2011131903.tif 000002
【特許請求の範囲】
【請求項１】
所望の薬剤を含んだ薬剤カートリッジと、
前記薬剤カートリッジを配置固定する中空部を有すると共に開口部を有し且つ下面に下部開口を有すると共に袋に対して接合する接合面を有する本体と、
本体の上部に密閉状態で装着し得るカバーと、
を備えたことを特徴とする注入装置。
【請求項２】
前記カバーには開閉弁が設けられたことを特徴とする請求項１に記載の注入装置。
【請求項３】
前記薬剤カートリッジには、上下方向に複数の通風穴を備えたことを特徴とする請求項１又は２に記載の注入装置。
【請求項４】
前記薬剤カートリッジは本体に対して着脱可能である請求項１~３のいずれか一つに記載の注入装置。
【請求項５】
請求項１〜４のいずれか一つに記載の注入装置と、この注入装置が密閉状態で取り付けられ且つ布団その他の収納対象物を出し入れする口を備えた袋と、からなることを特徴とする収納袋。
【請求項６】
袋に取り付けた請求項１〜４のいずれか一つに記載の注入装置に所望の薬剤カートリッジを装着するステップと、
布団その他の収納対象物を入れた袋の空気排気口から空気を抜くステップと、
を含むことを特徴とする袋内への薬剤注入方法。
【請求項７】
更に、注入装置を介して前記袋内に空気を入れることで薬剤カートリッジの薬剤を袋内に注入するステップを含むことを特徴とする薬剤注入方法。
【発明の詳細な説明】
【技術分野】
【０００１】
本発明は、布団圧縮袋等の袋の中に薬剤を注入するための注入装置、収納袋及び薬剤注入方法に関する。
【背景技術】
【０００２】
従来、布団などの弾性を有する物の内部に、ダニ防止剤、カビ防止剤、芳香剤、アロマオイルその他の薬剤（以下、単に「薬剤」という）を有効に注入する装置や方法は知られていなかった。例えば布団のダニを例にとれば、布団にダニが発生しないように、こまめに布団干しを行い、布団を叩いてダニを取り除く、更には布団に掃除機をかけてダニを取り除くことがよく行われている。ところが、当該方法では、発生したダニの一部を取り除くことは出来ても、ダニそのものの発生を抑えることには限度がある。
【０００３】
そこで、ダニを有効に取り除くためにダニ防止剤を布団の中に注入し、ダニの発生そのものを防止することが行われる。このような布団にダニ防止剤を注入する方法として、特許文献１に記載の技術が知られている。この特許文献１にかかる圧縮袋は、袋本体を薬剤シートにより形成し、布団を収納している間に薬剤シートから所定の薬剤を拡散させるものである。
【０００４】
しかしながら、上記特許文献１に記載の布団袋では、薬剤シートから形成した特殊なシートが必要であるという問題点があった。
【先行技術文献】
【特許文献】
【０００５】
【特許文献１】実開平０５−０２６８３９号公報
【発明の概要】
【発明が解決しようとする課題】
【０００６】
解決しようとする問題点は、薬剤シート等の特殊なシートを用いることなく所望の薬剤や芳香剤等を注入できるようにする点である。
【課題を解決するための手段】
【０００７】
本発明の注入装置は、所望の薬剤を含んだ薬剤カートリッジと、前記薬剤カートリッジを配置固定する中空部を有すると共に開口部を有し且つ下面に下部開口を有すると共に袋に対して接合する接合面を有する本体と、本体の上部に密閉状態で装着し得るカバーとを備えたことを特徴とする。
【０００８】
本発明の注入装置は、上記発明において、前記カバーには開閉弁が設けられたことを特徴とする。
【０００９】
本発明の注入装置は、上記発明において、前記薬剤カートリッジには、上下方向に複数の通風穴を備えたことを特徴とする。
【００１０】
本発明の注入装置は、上記発明において、前記薬剤カートリッジは本体に対して着脱可能である。
【００１１】
本発明の収納袋は、上記発明において、上記注入装置と、この注入装置が密閉状態で取り付けられ且つ布団その他の収納対象物を出し入れする口を備えた袋とからなることを特徴とする。
【００１２】
本発明の薬剤注入方法は、袋に取り付けた上記注入装置に所望の薬剤カートリッジを装着するステップと、布団その他の収納対象物を入れた袋の空気排気口から空気を抜くステップとを含むことを特徴とする。
【００１３】
本発明の薬剤注入方法は、上記発明において、更に、注入装置を介して前記袋内に空気を入れることで薬剤カートリッジの薬剤を袋内に注入するステップを含むことを特徴とする。
【図面の簡単な説明】
【００１４】
【図１】この発明の実施の形態１にかかる布団圧縮袋を示す説明図である。
【図２】図１に示した布団圧縮袋の使用状態における一態様を示す説明図である。
【図３】本発明に係る注入装置を示す断面図である。
【図４】図３に示した薬剤カートリッジを示す斜視図である。
【図５】この発明の実施の形態２にかかる布団圧縮袋を示す構成図である。
【発明を実施するための形態】
【００１５】
（実施の形態１）
図１は、この発明の実施の形態１にかかる布団圧縮袋を示す説明図である。図２は、図１に示した布団圧縮袋の使用状態における一態様を示す説明図である。この布団圧縮袋５０は、布団Ｆを収納する透明で且つ空気を通さない圧縮袋５１と、布団Ｆを出し入れする際の収納口５２と、収納口５２に設けたチャック５３と、布団圧縮袋５０の内部の空気を排気するための空気排気口５４と、布団圧縮袋５０内に薬剤を注入する注入装置１００とを備えている。
【００１６】
図３は、本発明に係る注入装置を示す断面図である。この注入装置１００は、布団圧縮袋５０に取り付ける本体１と、本体１の内部に形成した中空部２に装着する薬剤カートリッジ３と、本体１に被せ且つ開閉弁４を有するカバー５とを有する。本体１は、全体が円環状であり上部には開口部２１を有し且つ下部にフランジ６を有すると共に当該フランジ６の下面に接合面である両面テープ７が設けられ、この両面テープ７をもって布団圧縮袋５０に取り付けられる。布団圧縮袋５０の前記本体１の下部開口２２に対向する位置には開口が設けられている。本体１の内周面の下部にはＯリング８を配置する段部が形成されている。また、外周面には、カバー５を取り付けるためのネジ９が形成されている。前記Ｏリング８は、外部空気の注入時に空気を薬剤カートリッジ３の通風穴１０を通過させるために用いる。
【００１７】
薬剤カートリッジ３は、それ自体に布団圧縮袋５０に注入する薬剤が充填されている。この薬剤カートリッジ３は、図４に示すように、プラスチック筐体１１の内部にスポンジや不織布を成形した充填部１２を設け、効率的な通気と充填した薬剤の発散を行うための複数の通風穴１０を上下方向に設けた構造である。また、充填部１２は、多数の空隙を有する焼結体に薬剤や芳香剤等を含ませたものであっても良い。この薬剤カートリッジ３は本体１の中空部２に挿入され、前記カバー５により当該中空部２に配置固定される。カバー５を外すことで薬剤カートリッジ３が着脱可能となる。なお、カバー５による固定ではなく、中空部２の内部に形成したフック構造等の公知の手段をもって固定するようにしても良い（図示省略）。
【００１８】
上記カバー５の上面には開閉弁４が設けられている。この開閉弁４は、開口部１３とキャップ１４とから構成され、当該開口部１３の径は、布団圧縮袋５０への空気の導入が徐々に行われるように当該開口部１３における流量が所定の流量になるように決定する。特に、薬剤カートリッジ３に充填する薬剤によっては大きな流量であると十分に薬剤が拡散しない場合もあるので、薬剤の種類毎に開閉弁４を複数設けても良い。
【００１９】
また、カバー５はボトルキャップ状であり、内部に前記本体１の外周に螺合するネジ１５が形成されている。更に、カバー５の裏面には、薬剤カートリッジ３の上面に当接する環状のリブ１６が形成されている。カバー５を本体１の上部に装着した状態で当該リブ１６が薬剤カートリッジ３を押し、当該薬剤カートリッジ３を内部で固定する。また、本体１とカバー５の裏面との間には、シールのためのＯリング１７が配置される。
【００２０】
次に、この布団圧縮袋５０の使用方法について説明する。まず、注入装置１００の内部に所望の薬剤カートリッジ３を装着し、カバー５の開閉弁４を閉じておく。次に、布団圧縮袋５０のチャック５３を開き、収納口５２から布団圧縮袋５０の中に布団Ｆを入れる。そしてチャック５３を閉じて布団圧縮袋５０を密閉する。その後、空気排気口５４から掃除機等を用いて布団圧縮袋５０の中の空気を排気し、布団Ｆを圧縮する。これにより布団Ｆを収納するときに布団Ｆのサイズを１／３から１／４に圧縮することが出来る（図２参照）。
【００２１】
次に、この布団Ｆを用いる際、前記注入装置１００の開閉弁４を開ける。このとき、布団Ｆの復元力により布団Ｆが膨れ、これにより布団圧縮袋５０の内部に負圧が生じる。これにより、開閉弁４から外部の空気が注入され、主に薬剤カートリッジ３の通気穴１０を通って注入される。このとき、薬剤カートリッジ３に含まれている薬剤が空気中に発散され、空気と一緒に布団Ｆの中へ拡散・注入される。これにより、布団Ｆの中に所望の薬剤が注入される。
【００２２】
なお、空気の注入量の制御は上記のように開閉弁４の径により調整しても良いし、開閉弁４の径を一定とし、薬剤カートリッジ３自体の通気性に依存させるようにしても良い。また、上記注入装置１００は布団圧縮袋５０に適用したが、袋に入れて圧縮して収納する構造のものであれば適用可能である。例えば当該注入装置１００は衣類圧縮袋に適用できる。また、上記実施の形態では、ダニ防止剤、芳香剤などを例として説明したが、本発明の適用範囲はこれらには限定されない。
【００２３】
以上、この発明の注入装置１００によれば、廉価で且つ簡単に布団Ｆの中に所望の薬剤を注入できる。これにより、布団Ｆなどに発生するダニ、カビ等の発生を根本的に防ぐことが出来る。更に、薬剤カートリッジ３を取り換えることにより、何度でも用いることができ。更に、薬剤カートリッジ３を、別の薬剤を充填したものに変えることによって、所望の薬剤を布団の中に注入することが出来る。
【００２４】
（実施の形態２）
図５は、この発明の実施の形態２にかかる布団圧縮袋を示す構成図である。上記実施の形態１では注入装置１００をユーザが圧縮袋５１に対して接着固定するようにしたが、当該注入装置１００を予め布団圧縮袋５１に取り付けておくようにしても良い。このようにすれば、ユーザが圧縮袋５１に穴を開けて注入装置１００を取り付ける必要がない。
【符号の説明】
【００２５】
１００  注入装置
１  本体
２  中空部
３  薬剤カートリッジ
４  開閉弁
５  カバー
６  フランジ
７  両面テープ
１０  通風穴
５０  布団圧縮袋
５１  圧縮袋
５２  収納口
５３  チャック
５４  空気排気口
【図１】
2011131903.tif 000003
【図２】
2011131903.tif 000004
【図３】
2011131903.tif 000005
【図４】
2011131903.tif 000006
【図５】
2011131903.tif 000007